【手続補正書】
【提出日】平成20年11月19日(2008.11.19)
【手続補正１】
【補正対象書類名】明細書
【補正対象項目名】特許請求の範囲
【補正方法】変更
【補正の内容】
【特許請求の範囲】
【請求項１】
ビーム光を発生するビーム光発生手段と、
多面回転ミラーを含み、多面回転ミラーを回転軸の周りに回転させることにより、前記ビーム光発生手段から発生されたビーム光を被走査面へ向けて反射したビーム光により、被走査面を露光する露光手段と、
この露光手段により被走査面上に案内されるビーム光を検知する第１のビーム光検知手段と、
この第１のビーム光検知手段の出力を基準にビーム光が被走査面を移動されることにより被走査面が露光される露光範囲を規定する露光範囲規定手段と、
前記第１のビーム光検知手段よりもビーム光が被走査面を移動される方向に対し下流側に位置され、被被走査面上での前記露光範囲規定手段によって規定された露光範囲を露光するビーム光を検知する第２のビーム光検知手段と、
この第２のビーム光検知手段の出力から、前記露光範囲規定手段により規定された露光範囲と被走査面上でのビーム光の露光範囲との関係を判定し、被走査面上での露光範囲が所定の範囲となるように前記露光範囲規定手段を制御する制御手段と、
を具備したことを特徴とするビーム光走査装置。
【請求項２】
ビーム光を発生するビーム光発生手段と、
多面回転ミラーを含み、多面回転ミラーを回転軸の周りに回転させることにより、前記ビーム光発生手段から発生されたビーム光を被走査面へ向けて反射したビーム光により、被走査面を露光する露光手段と、
この露光手段により被走査面上に案内されるビーム光を検知する第１のビーム光検知手段と、
この第１のビーム光検知手段よりもビーム光が被走査面を移動される方向に対し下流側に位置され、被走査面を露光するビーム光を検知する第２のビーム光検知手段と、
前記第１のビーム光検知手段がビーム光を検知するために、前記ビーム光発生手段がビーム光を発生するように制御する第１の制御手段と、
前記第１のビーム光検知手段の出力に同期したクロックを発生するクロック発生手段と、
このクロック発生手段から発生するクロックに同期して前記ビーム光発生手段からビーム光が発生するよう前記ビーム光発生手段を制御することにより前記露光範囲規定手段によって規定された露光範囲を露光するビーム光を出力させる第２の制御手段と、
この第２の制御手段の制御により前記ビーム光発生手段から発生するビーム光が前記第２のビーム光検知手段で検知されたか否かを判定するビーム光位置判定手段と、
前記ビーム光の露光範囲を設定する露光範囲設定部と、
前記ビーム光位置判定手段の判定結果に基づき、前記露光範囲設定部に、露光範囲設定を行なう第３の制御手段と、
を具備したことを特徴とするビーム光走査装置。
【請求項３】
ビーム光を発生するビーム光発生手段と、
多面回転ミラーを含み、多面回転ミラーを回転軸の周りに回転させることにより、前記ビーム光発生手段から発生されたビーム光を被走査面へ向けて反射したビーム光により、被走査面を露光する露光手段と、
この露光手段により被走査面上に案内されるビーム光を検知する第１のビーム光検知手段と、
この第１のビーム光検知手段よりもビーム光が被走査面を移動される方向に対し下流側に位置され、被走査面を露光するビーム光を検知する第２のビーム光検知手段と、
前記第１のビーム光検知手段がビーム光を検知するために、前記ビーム光発生手段がビーム光を発生するように制御する第１の制御手段と、
前記第１のビーム光検知手段の出力に同期した複数の位相のずれたクロックを発生するクロック発生手段と、
このクロック発生手段から発生する複数のクロックから１つのクロックを選択するクロック選択手段と、
このクロック選択手段が選択するクロックに同期して前記ビーム光発生手段からビーム光が発生するよう前記ビーム光発生手段を制御する第２の制御手段と、
この第２の制御手段の制御により前記ビーム光発生手段から発生するビーム光が前記第２のビーム光検知手段で検知されたか否かを判定するビーム光位置判定手段と、
前記ビーム光の露光範囲を設定する露光範囲設定部と、
前記ビーム光位置判定手段の判定結果に基づき、前記クロック選択手段によるクロック選択と前記露光範囲設定部への露光範囲設定とを行なう第３の制御手段と、
を具備したことを特徴とするビーム光走査装置。
【請求項４】
ビーム光を発生する複数のビーム光発生手段と、
多面回転ミラーを含み、多面回転ミラーを回転軸の周りに回転させることにより、前記複数のビーム光発生手段から発生された複数のビーム光を光学的に合成したのち被走査面へ向けてそれぞれ反射した複数のビーム光により被走査面を露光する露光手段と、
この露光手段により被走査面上に案内される複数のビーム光のいずれかを検知する第１のビーム光検知手段と、
この第１のビーム光検知手段よりも複数のビーム光が被走査面を移動される方向に対し下流側に位置され、被走査面を露光する複数のビーム光を検知する第２のビーム光検知手段と、
前記第１のビーム光検知手段が複数のビーム光のいずれかを検知するために、前記複数のビーム光発生手段のうちの少なくとも１つのビーム光発生手段がビーム光を発生するように制御する第１の制御手段と、
前記第１のビーム光検知手段の出力に同期したクロックを発生するクロック発生手段と、
このクロック発生手段から発生するクロックに同期して前記複数のビーム光発生手段のうち少なくとも１つのビーム光発生手段からビーム光が発生するよう前記ビーム光発生手段を制御する第２の制御手段と、
この第２の制御手段の制御により前記複数のビーム光発生手段のうちの少なくとも１つのビーム光発生手段から発生するビーム光が前記第２のビーム光検知手段で検知されたか否かを判定するビーム光位置判定手段と、
前記複数のビーム光発生手段からの複数のビーム光の各露光範囲をそれぞれ設定する露光範囲設定部と、
前記複数のビーム光発生手段からの複数のビーム光に対する前記露光範囲設定部への露光範囲設定を行なう第３の制御手段と、
を具備したことを特徴とするビーム光走査装置。
【請求項５】
ビーム光を発生する複数のビーム光発生手段と、
多面回転ミラーを含み、多面回転ミラーを回転軸の周りに回転させることにより、前記複数のビーム光発生手段から発生された複数のビーム光を光学的に合成したのち被走査面へ向けてそれぞれ反射した複数のビーム光により被走査面を露光する露光手段と、
この露光手段により被走査面上に案内される複数のビーム光のいずれかを検知する第１のビーム光検知手段と、
この第１のビーム光検知手段よりも複数のビーム光が被走査面を移動される方向に対し下流側に位置され、被走査面を露光する複数のビーム光を検知する第２のビーム光検知手段と、
前記第１のビーム光検知手段が複数のビーム光のいずれかを検知するために、前記複数のビーム光発生手段のうちの少なくとも１つのビーム光発生手段がビーム光を発生するように制御する第１の制御手段と、
前記第１のビーム光検知手段の出力に同期した複数の位相のずれたクロックを発生するクロック発生手段と、
前記複数のビーム光発生手段のそれぞれに対し、前記クロック発生手段が発生する複数の位相のずれたクロックの中からクロックを選択するクロック選択手段と、
このクロック選択手段で選択されたクロックに同期して前記複数のビーム光発生手段のうち少なくとも１つのビーム光発生手段からビーム光が発生するよう前記ビーム光発生手段を制御する第２の制御手段と、
この第２の制御手段の制御により前記複数のビーム光発生手段のうちの少なくとも１つのビーム光発生手段から発生するビーム光が前記第２のビーム光検知手段で検知されたか否かを判定するビーム光位置判定手段と、
前記複数のビーム光の各露光範囲をそれぞれ設定する露光範囲設定部と、
前記ビーム光位置判定手段の判定結果に基づき、前記複数のビーム光発生手段からの複数のビーム光に対する前記クロック選択手段のクロック選択と前記露光範囲設定部への露光範囲設定をと行なう第３の制御手段と、
を具備したことを特徴とするビーム光走査装置。
【請求項６】
前記クロック発生手段は、前記第１のビーム光検知手段が前記複数のビーム光発生手段からの複数のビーム光のうち最初に到来したビーム光に対して応答した出力に同期してクロックを発生することを特徴とする請求項４または５に記載のビーム光走査装置。
【請求項７】
前記クロック発生手段が発生する複数のクロックの位相ずれは１クロックのほぼ整数分の１であることを特徴とする請求項３または５記載のビーム光走査装置。
【請求項８】
前記露光範囲設定部は、前記クロック選択手段で選択されたクロックを基準とし、設定された値に基づいて前記露光手段により被走査面上に案内されるビーム光の走査範囲を定めることを特徴とする請求項２または３に記載のビーム光走査装置。
【請求項９】
前記第１のビーム光検知手段および第２のビーム光検知手段は、前記ビーム光発生手段からのビーム光が被走査面を移動される方向と直交する方向に所定の間隔でそれぞれ平行に位置された光検知素子からなり、これら各光検知素子は同一の部材上に設けられていることを特徴とする請求項１乃至５のいずれか１つに記載のビーム光走査装置。
【請求項１０】
前記第３の制御手段が行なう制御は、該ビーム光走査装置に電源が投入された直後に実行されることを特徴とする請求項１乃至５のいずれか１つに記載のビーム光走査装置。
【請求項１１】
前記第３の制御手段が行なう制御は、ある所定の時間ごとに実行されることを特徴とする請求項１乃至５のいずれか１つに記載のビーム光走査装置。
【請求項１２】
前記露光範囲設定部は、前記クロック選択手段で選択されたクロックを基準とし、設定された値に基づいて前記露光手段により被走査面上に案内されるビーム光の走査範囲を定めることを特徴とする請求項４または５に記載のビーム光走査装置。
【請求項１３】
ビーム光を発生するビーム光発生手段と、
多面回転ミラーを含み、多面回転ミラーを回転軸の周りに回転させることにより、前記ビーム光発生手段から発生されたビーム光を被走査面へ向けて反射したビーム光により、被走査面を露光する露光手段と、
この露光手段により被走査面上に案内されるビーム光を検知する第１のビーム光検知手段と、
この第１のビーム光検知手段よりもビーム光が被走査面を移動される方向に対し下流側に位置され、被走査面を露光するビーム光を検知する第２のビーム光検知手段と、
前記第１のビーム光検知手段がビーム光を検知するために、前記ビーム光発生手段がビーム光を発生するように制御する第１の制御手段と、
前記第１のビーム光検知手段の出力に同期したクロックを発生するクロック発生手段と、
このクロック発生手段から発生するクロックに同期して前記ビーム光発生手段からビーム光が発生するよう前記ビーム光発生手段を制御することにより前記露光範囲規定手段によって規定された露光範囲を露光するビーム光を出力させる第２の制御手段と、
この第２の制御手段の制御により前記ビーム光発生手段から発生するビーム光が前記第２のビーム光検知手段で検知されたか否かを判定するビーム光位置判定手段と、
前記ビーム光位置判定手段の判定結果に基づき、前記第２の制御手段による前記ビーム光発生手段からのビーム光の出力を許可する第３の制御手段と、
を具備したことを特徴とするビーム光走査装置。
【請求項１４】
ビーム光を発生するビーム光発生手段と、
多面回転ミラーを含み、多面回転ミラーを回転軸の周りに回転させることにより、前記ビーム光発生手段から発生されたビーム光を被走査面へ向けて反射したビーム光により、被走査面を露光する露光手段と、
この露光手段により被走査面上に案内されるビーム光を検知する第１のビーム光検知手段と、
この第１のビーム光検知手段よりもビーム光が被走査面を移動される方向に対し下流側に位置され、被走査面を露光するビーム光を検知する第２のビーム光検知手段と、
前記第１のビーム光検知手段がビーム光を検知するために、前記ビーム光発生手段がビーム光を発生するように制御する第１の制御手段と、
前記第１のビーム光検知手段の出力に同期した複数の位相のずれたクロックを発生するクロック発生手段と、
このクロック発生手段から発生する複数のクロックから１つのクロックを選択するクロック選択手段と、
このクロック選択手段が選択するクロックに同期して前記ビーム光発生手段からビーム光が発生するよう前記ビーム光発生手段を制御する第２の制御手段と、
この第２の制御手段の制御により前記ビーム光発生手段から発生するビーム光が前記第２のビーム光検知手段で検知されたか否かを判定するビーム光位置判定手段と、
前記ビーム光位置判定手段の判定結果に基づき、前記クロック選択手段が出力するクロックに同期するビーム光を出力するために前記第２の制御手段による前記ビーム光発生手段からビーム光の出力を許可する第３の制御手段と、
を具備したことを特徴とするビーム光走査装置。
【請求項１５】
ビーム光を発生する複数のビーム光発生手段と、
多面回転ミラーを含み、多面回転ミラーを回転軸の周りに回転させることにより、前記複数のビーム光発生手段から発生された複数のビーム光を光学的に合成したのち被走査面へ向けてそれぞれ反射した複数のビーム光により被走査面を露光する露光手段と、
この露光手段により被走査面上に案内される複数のビーム光のいずれかを検知する第１のビーム光検知手段と、
この第１のビーム光検知手段よりも複数のビーム光が被走査面を移動される方向に対し下流側に位置され、被走査面を露光する複数のビーム光を検知する第２のビーム光検知手段と、
前記第１のビーム光検知手段が複数のビーム光のいずれかを検知するために、前記複数のビーム光発生手段のうちの少なくとも１つのビーム光発生手段がビーム光を発生するように制御する第１の制御手段と、
前記第１のビーム光検知手段の出力に同期したクロックを発生するクロック発生手段と、
このクロック発生手段から発生するクロックに同期して前記複数のビーム光発生手段のうち少なくとも１つのビーム光発生手段からビーム光が発生するよう前記ビーム光発生手段を制御する第２の制御手段と、
この第２の制御手段の制御により前記複数のビーム光発生手段のうちの少なくとも１つのビーム光発生手段から発生するビーム光が前記第２のビーム光検知手段で検知されたか否かを判定するビーム光位置判定手段と、
前記ビーム光位置判定手段の判定結果に基づき、前記複数のビーム光発生手段から出力される複数のビーム光を出力するために、前記クロック発生手段が発生するクロック発生タイミングを設定する第３の制御手段と、
を具備したことを特徴とするビーム光走査装置。
【請求項１６】
ビーム光を発生する複数のビーム光発生手段と、
多面回転ミラーを含み、多面回転ミラーを回転軸の周りに回転させることにより、前記複数のビーム光発生手段から発生された複数のビーム光を光学的に合成したのち被走査面へ向けてそれぞれ反射した複数のビーム光により被走査面を露光する露光手段と、
この露光手段により被走査面上に案内される複数のビーム光のいずれかを検知する第１のビーム光検知手段と、
この第１のビーム光検知手段よりも複数のビーム光が被走査面を移動される方向に対し下流側に位置され、被走査面を露光する複数のビーム光を検知する第２のビーム光検知手段と、
前記第１のビーム光検知手段が複数のビーム光のいずれかを検知するために、前記複数のビーム光発生手段のうちの少なくとも１つのビーム光発生手段がビーム光を発生するように制御する第１の制御手段と、
前記第１のビーム光検知手段の出力に同期した複数の位相のずれたクロックを発生するクロック発生手段と、
前記複数のビーム光発生手段のそれぞれに対し、前記クロック発生手段が発生する複数の位相のずれたクロックの中からクロックを選択するクロック選択手段と、
このクロック選択手段で選択されたクロックに同期して前記複数のビーム光発生手段のうち少なくとも１つのビーム光発生手段からビーム光が発生するよう前記ビーム光発生手段を制御する第２の制御手段と、
この第２の制御手段の制御により前記複数のビーム光発生手段のうちの少なくとも１つのビーム光発生手段から発生するビーム光が前記第２のビーム光検知手段で検知されたか否かを判定するビーム光位置判定手段と、
前記ビーム光位置判定手段の判定結果に基づき、前記複数のビーム光発生手段からの複数のビーム光に対する前記クロック選択手段が出力するクロックに同期するビーム光を出力するために、前記第２の制御手段による前記ビーム光の出力を許可する第３の制御手段と、
を具備したことを特徴とするビーム光走査装置。
【請求項１７】
請求項１乃至１６のいずれか１つに記載の光走査装置と、
この光走査装置からのビーム光により露光される像担持体と、
この像担持体上に形成された静電潜像を現像するための現像剤を収納する現像器と、
を具備したことを特徴とする画像形成装置。
【手続補正２】
【補正対象書類名】明細書
【補正対象項目名】００１４
【補正方法】変更
【補正の内容】
【００１４】
【課題を解決するための手段】
本発明のビーム光走査装置は、ビーム光を発生するビーム光発生手段と、多面回転ミラーを含み、多面回転ミラーを回転軸の周りに回転させることにより、前記ビーム光発生手段から発生されたビーム光を被走査面へ向けて反射したビーム光により、被走査面を露光する露光手段と、この露光手段により被走査面上に案内されるビーム光を検知する第１のビーム光検知手段と、この第１のビーム光検知手段の出力を基準にビーム光が被走査面を移動されることにより被走査面が露光される露光範囲を規定する露光範囲規定手段と、前記第１のビーム光検知手段よりもビーム光が被走査面を移動される方向に対し下流側に位置され、被被走査面上での前記露光範囲規定手段によって規定された露光範囲を露光するビーム光を検知する第２のビーム光検知手段と、この第２のビーム光検知手段の出力から、前記露光範囲規定手段により規定された露光範囲と被走査面上でのビーム光の露光範囲との関係を判定し、被走査面上での露光範囲が所定の範囲となるように前記露光範囲規定手段を制御する制御手段と、を具備している。
【手続補正３】
【補正対象書類名】明細書
【補正対象項目名】００１５
【補正方法】変更
【補正の内容】
【００１５】
また、本発明のビーム光走査装置は、ビーム光を発生するビーム光発生手段と、
多面回転ミラーを含み、多面回転ミラーを回転軸の周りに回転させることにより、前記ビーム光発生手段から発生されたビーム光を被走査面へ向けて反射したビーム光により、被走査面を露光する露光手段と、
この露光手段により被走査面上に案内されるビーム光を検知する第１のビーム光検知手段と、
この第１のビーム光検知手段よりもビーム光が被走査面を移動される方向に対し下流側に位置され、被走査面を露光するビーム光を検知する第２のビーム光検知手段と、
前記第１のビーム光検知手段がビーム光を検知するために、前記ビーム光発生手段がビーム光を発生するように制御する第１の制御手段と、
前記第１のビーム光検知手段の出力に同期したクロックを発生するクロック発生手段と、
このクロック発生手段から発生するクロックに同期して前記ビーム光発生手段からビーム光が発生するよう前記ビーム光発生手段を制御することにより前記露光範囲規定手段によって規定された露光範囲を露光するビーム光を出力させる第２の制御手段と、この第２の制御手段の制御により前記ビーム光発生手段から発生するビーム光が前記第２のビーム光検知手段で検知されたか否かを判定するビーム光位置判定手段と、前記ビーム光の露光範囲を設定する露光範囲設定部と、前記ビーム光位置判定手段の判定結果に基づき、前記露光範囲設定部に、露光範囲設定を行なう第３の制御手段と、を具備している。
【手続補正４】
【補正対象書類名】明細書
【補正対象項目名】００１６
【補正方法】変更
【補正の内容】
【００１６】
また、本発明のビーム光走査装置は、ビーム光を発生するビーム光発生手段と、多面回転ミラーを含み、多面回転ミラーを回転軸の周りに回転させることにより、前記ビーム光発生手段から発生されたビーム光を被走査面へ向けて反射したビーム光により、被走査面を露光する露光手段と、この露光手段により被走査面上に案内されるビーム光を検知する第１のビーム光検知手段と、この第１のビーム光検知手段よりもビーム光が被走査面を移動される方向に対し下流側に位置され、被走査面を露光するビーム光を検知する第２のビーム光検知手段と、前記第１のビーム光検知手段がビーム光を検知するために、前記ビーム光発生手段がビーム光を発生するように制御する第１の制御手段と、前記第１のビーム光検知手段の出力に同期した複数の位相のずれたクロックを発生するクロック発生手段と、このクロック発生手段から発生する複数のクロックから１つのクロックを選択するクロック選択手段と、このクロック選択手段が選択するクロックに同期して前記ビーム光発生手段からビーム光が発生するよう前記ビーム光発生手段を制御する第２の制御手段と、この第２の制御手段の制御により前記ビーム光発生手段から発生するビーム光が前記第２のビーム光検知手段で検知されたか否かを判定するビーム光位置判定手段と、前記ビーム光の露光範囲を設定する露光範囲設定部と、前記ビーム光位置判定手段の判定結果に基づき、前記クロック選択手段によるクロック選択と前記露光範囲設定部への露光範囲設定とを行なう第３の制御手段と、
を具備している。
【手続補正５】
【補正対象書類名】明細書
【補正対象項目名】００１７
【補正方法】変更
【補正の内容】
【００１７】
また、本発明のビーム光走査装置は、ビーム光を発生する複数のビーム光発生手段と、多面回転ミラーを含み、多面回転ミラーを回転軸の周りに回転させることにより、前記複数のビーム光発生手段から発生された複数のビーム光を光学的に合成したのち被走査面へ向けてそれぞれ反射した複数のビーム光により被走査面を露光する露光手段と、この露光手段により被走査面上に案内される複数のビーム光のいずれかを検知する第１のビーム光検知手段と、この第１のビーム光検知手段よりも複数のビーム光が被走査面を移動される方向に対し下流側に位置され、被走査面を露光する複数のビーム光を検知する第２のビーム光検知手段と、前記第１のビーム光検知手段が複数のビーム光のいずれかを検知するために、前記複数のビーム光発生手段のうちの少なくとも１つのビーム光発生手段がビーム光を発生するように制御する第１の制御手段と、前記第１のビーム光検知手段の出力に同期したクロックを発生するクロック発生手段と、このクロック発生手段から発生するクロックに同期して前記複数のビーム光発生手段のうち少なくとも１つのビーム光発生手段からビーム光が発生するよう前記ビーム光発生手段を制御する第２の制御手段と、この第２の制御手段の制御により前記複数のビーム光発生手段のうちの少なくとも１つのビーム光発生手段から発生するビーム光が前記第２のビーム光検知手段で検知されたか否かを判定するビーム光位置判定手段と、前記複数のビーム光発生手段からの複数のビーム光の各露光範囲をそれぞれ設定する露光範囲設定部と、前記複数のビーム光発生手段からの複数のビーム光に対する前記露光範囲設定部への露光範囲設定を行なう第３の制御手段と、を具備している。
【手続補正６】
【補正対象書類名】明細書
【補正対象項目名】００１８
【補正方法】変更
【補正の内容】
【００１８】
また、本発明のビーム光走査装置は、ビーム光を発生する複数のビーム光発生手段と、
多面回転ミラーを含み、多面回転ミラーを回転軸の周りに回転させることにより、前記複数のビーム光発生手段から発生された複数のビーム光を光学的に合成したのち被走査面へ向けてそれぞれ反射した複数のビーム光により被走査面を露光する露光手段と、この露光手段により被走査面上に案内される複数のビーム光のいずれかを検知する第１のビーム光検知手段と、この第１のビーム光検知手段よりも複数のビーム光が被走査面を移動される方向に対し下流側に位置され、被走査面を露光する複数のビーム光を検知する第２のビーム光検知手段と、前記第１のビーム光検知手段が複数のビーム光のいずれかを検知するために、前記複数のビーム光発生手段のうちの少なくとも１つのビーム光発生手段がビーム光を発生するように制御する第１の制御手段と、前記第１のビーム光検知手段の出力に同期した複数の位相のずれたクロックを発生するクロック発生手段と、前記複数のビーム光発生手段のそれぞれに対し、前記クロック発生手段が発生する複数の位相のずれたクロックの中からクロックを選択するクロック選択手段と、このクロック選択手段で選択されたクロックに同期して前記複数のビーム光発生手段のうち少なくとも１つのビーム光発生手段からビーム光が発生するよう前記ビーム光発生手段を制御する第２の制御手段と、この第２の制御手段の制御により前記複数のビーム光発生手段のうちの少なくとも１つのビーム光発生手段から発生するビーム光が前記第２のビーム光検知手段で検知されたか否かを判定するビーム光位置判定手段と、前記複数のビーム光の各露光範囲をそれぞれ設定する露光範囲設定部と、前記ビーム光位置判定手段の判定結果に基づき、前記複数のビーム光発生手段からの複数のビーム光に対する前記クロック選択手段のクロック選択と前記露光範囲設定部への露光範囲設定をと行なう第３の制御手段と、を具備している。
【手続補正７】
【補正対象書類名】明細書
【補正対象項目名】００１９
【補正方法】変更
【補正の内容】
【００１９】
また、本発明の画像形成装置は、請求項１乃至１６のいずれか１つに記載の光走査装置と、この光走査装置からのビーム光により露光される像担持体と、この像担持体上に形成された静電潜像を現像するための現像剤を収納する現像器とを具備している。